(57)【特許請求の範囲】
【請求項１】
管軸方向に延びるｎ個（ｎは自然数）の山部と、隣り合う前記山部間に設けられ管軸方向に延びるｎ個の谷部と、隣り合う前記山部と前記谷部とを連結し管軸方向に延びる平板形状の（２×ｎ）個の傾斜部と、を有する吸収器用伝熱管において、前記山部の頂部における管外面の曲率半径をＲ1、前記谷部の底部における管外面の曲率半径をＲ2、前記谷部の管内面までの深さをｄ、前記各山部の頂部に接する円の直径をＤ、前記傾斜部の管軸方向と直交する方向の幅をＬ、（π×Ｄ／ｎ）で与えられる前記山部のピッチをＰとしたとき、ｄ／Ｐは０．１０乃至０．２９、ｄは０．７０乃至１．６５（ｍｍ）、Ｒ2／ｄは０．５４乃至１．８６、Ｒ1／ｄは０．６６乃至２．２９、Ｌは０．６５乃至０．７３（ｍｍ）であることを特徴とする吸収器用伝熱管。
【発明の詳細な説明】
【０００１】
【発明の属する技術分野】
本発明は吸収式冷凍機及び吸収式冷温水機等の吸収器に使用される吸収器用伝熱管に関し、特に、吸収伝熱性能の向上を図った吸収器用伝熱管に関する。
【０００２】
【従来の技術】
吸収式冷凍機は臭化リチウム（ＬｉＢｒ）を吸収液とし、水を冷媒として使用し、臭化リチウムの強い吸湿力で冷凍機内の水蒸気を吸収して冷凍機内の圧力を低下させ、冷媒である水を低い温度で蒸発させることにより、空調等に使用する冷水を作るものである。
【０００３】
この吸収式冷凍機の吸収器内には、多数の伝熱管が水平に設置され、管内に水を通水し、管外に吸収液を流下させて、両者間で熱交換を行っている。この吸収液は低流速、即ち層流の状態で流下するため、吸収液に界面活性剤を投入し、水蒸気吸収時に発生するマランゴニ対流によって、吸収液の攪乱を増進させ、吸収効率を増加させている。
【０００４】
そして、このような吸収器に使用される吸収器用伝熱管としては、吸収器の高性能化及び小型化のために平滑管から高性能の非平滑形状の伝熱管が使用されてきている。非平滑形状の伝熱管は、例えば、特開平２−１７６３７８号公報に提案されている。この公報に記載された従来の伝熱管には、管軸に対して傾斜する方向に延びる山部と谷部とが管外面に設けられており、山部と谷部とにより連続した湾曲形状が形成されている。
【０００５】
この従来の伝熱管によれば、平滑管と比して、吸収液が山部を乗り越えて管周方向に沿って流下する際に、吸収液に攪乱及び乱流が生じやすくなり、伝熱性能が向上した。
【０００６】
また、より優れた伝熱性能を得ることを目的とした吸収用伝熱管が提案されている（特開平７−１６７５３０号公報）。この公報に記載された従来の伝熱管には、上述の伝熱管と同様に山部及び谷部が管外面に設けられている。そして、山部及び谷部の曲率半径等がより適切に規定されている。
【０００７】
この従来の伝熱管によれば、吸収液の液膜が適度に山部に形成されると共に、吸収液が適度に谷部に滞留するため、特開平２−１７６３７８号公報に記載された従来の伝熱管よりも高い伝熱性能が得られた。
【０００８】
【発明が解決しようとする課題】
しかしながら、特開平２−１７６３７８号公報に記載された従来の伝熱管においては、吸収液が山部から谷部へ流下する際に、谷部において急激に収縮し管外面に濡れ拡がる前に流れ落ちてしまうという問題点がある。
【０００９】
また、特開平７−１６７５３０号公報に記載された伝熱管は、所期の目的は達成したものの、水蒸気が吸収されて希釈化された吸収液が伝熱管の外表面に残るため、良好な伝熱性能を維持するためには、伝熱管上に散布される吸収液の流量を多くする必要がある。吸収式冷凍機においては、冷凍能力当たりの吸収液流量が設計的に決まっているため、このように吸収液の流量を上げるためには、吸収器伝熱管の配列の段数を上げる必要、即ち、列数を減らす必要がある。従って、吸収液流量を多くすることは、吸収器の高さを高くすること、即ち、冷凍機の高さを高くすることにつながるという問題点がある。
【００１０】
また、上述の伝熱管は、吸収式冷凍機の高効率化に伴う吸収液流量（循環量）の低流量化に対して不利なものであるという問題点もある。
【００１１】
本発明はかかる問題点に鑑みてなされたものであって、吸収伝熱性能が優れ冷却効率を向上させることができる吸収器用伝熱管を提供することを目的とする。
【００１２】
【課題を解決するための手段】
本発明に係る吸収器用伝熱管は、管軸方向に延びるｎ個（ｎは自然数）の山部と、隣り合う前記山部間に設けられ管軸方向に延びるｎ個の谷部と、隣り合う前記山部と前記谷部とを連結し管軸方向に延びる平板形状の（２×ｎ）個の傾斜部と、を有する吸収器用伝熱管において、前記山部の頂部における管外面の曲率半径をＲ1、前記谷部の底部における管外面の曲率半径をＲ2、前記谷部の管内面までの深さをｄ、前記各山部の頂部に接する円の直径をＤ、前記傾斜部の管軸方向と直交する方向の幅をＬ、（π×Ｄ／ｎ）で与えられる前記山部のピッチをＰとしたとき、ｄ／Ｐは０．１０乃至０．２９、ｄは０．７０乃至１．６５（ｍｍ）、Ｒ2／ｄは０．５４乃至１．８６、Ｒ1／ｄは０．６６乃至２．２９、Ｌは０．６５乃至０．７３（ｍｍ）であることを特徴とする。
【００１３】
本発明においては、山部、谷部及びそれらの間に設けられた傾斜部の形状が適切に規定されているので、液膜流量が低い場合であっても、吸収液の攪乱（マランゴニ対流）が促進され、吸収液が広く濡れ広がる。従って、吸収伝熱性能が著しく向上する。
【００１４】
なお、谷部の管内面までの深さとは、隣り合う２個の山部に接する面とその山部間に設けられている谷部の底部における管内面との間隔をいう。
【００１５】
【発明の実施の形態】
以下、本発明の実施例に係る吸収器用伝熱管について、添付の図面を参照して具体的に説明する。図１は本発明の実施例に係る吸収器用伝熱管の管軸直交断面を示す断面図であり、図２はその断面の一部を拡大して示す断面図である。本実施例の吸収器用伝熱管１においては、管軸方向に平行に延び湾曲した板形状を有する山部２と谷部３とが管周方向に夫々８個設けられている。そして、隣り合う山部２と谷部３とは平板形状の傾斜部４により連結されている。
【００１６】
そして、山部２の頂部における管外面の曲率半径をＲ1、谷部３の底部における管外の面曲率半径をＲ2、谷部３の管内面までの深さをｄ、各山部２の頂部に接する円の直径をＤ、傾斜部４の管軸方向と直交する方向の幅をＬとしたとき、Ｐ＝（π×Ｄ／８）で与えられる山部ピッチＰに対する谷部深さｄの比ｄ／Ｐが０．１０乃至０．２９、ｄが０．７０乃至１．６５（ｍｍ）、Ｒ2／ｄが０．５４乃至１．８６、Ｒ1／ｄが０．６６乃至２．２９、Ｌが０．３乃至１．７（ｍｍ）である。
【００１７】
このように構成された本実施例の吸収器用伝熱管１においては、滴下された吸収液はマランゴニ対流によって攪乱されると共に、管外表面に大きく濡れ拡がる。また、吸収液が濡れ拡がる前に流れ落ちてしまうことも防止されている。これにより、高い伝熱性能が得られる。
【００１８】
次に、本発明に係る吸収器用伝熱管の形状を規定する数値限定理由について説明する。
【００１９】
山部のピッチＰに対する深さｄの比ｄ／Ｐ：０．１０乃至０．２９
山部及び谷部の数をｎ個とすると、山部のピッチＰはＰ＝πＤ／ｎで与えられる。そして、比ｄ／Ｐが０．１０未満であると、吸収液の攪乱効果が小さく伝熱性能が低下する。一方、比ｄ／Ｐが０．２９を越えると、吸収液の濡れ拡がりが小さく伝熱性能が低下する。従って、山部のピッチＰに対する深さｄの比ｄ／Ｐは０．１０乃至０．２９とする。
【００２０】
谷部の深さｄ：０．７０乃至１．６５（ｍｍ）
谷部の深さｄが０．７０（ｍｍ）未満であると、滴下した吸収液が流れ落ちやすくなって伝熱性能が低下する。一方、谷部の深さｄが１．６５（ｍｍ）を越えると、谷部での吸収液の滞留時間が長くなって液膜が厚くなりすぎ、この液膜による熱抵抗が大きくなるため、伝熱性能が低下する。従って、谷部の深さｄ刃０．７０乃至１．６５（ｍｍ）とする。
【００２１】
谷部の底部の曲率半径Ｒ2と谷部の深さｄとの比Ｒ2／ｄ：０．５４乃至１．８６
比Ｒ2／ｄが０．５４未満であると、谷部での吸収液の滞留時間が長くなって液膜が厚くなりすぎ、この液膜による熱抵抗が大きくなるため、伝熱性能が低下する。一方、比Ｒ2／ｄが１．８６を越えると、谷部に溜まった吸収液が山部を乗り越えずに伝熱管から離脱（ドロップアウト）してしまうため、伝熱性能が低下する。従って、谷部の底部の曲率半径Ｒ2と谷部の深さｄとの比Ｒ2／ｄは０．５４乃至１．８６とする。
【００２２】
山部の頂部の曲率半径Ｒ1と谷部の深さｄとの比Ｒ1／ｄ：０．６６乃至２．２９
比Ｒ1／ｄが０．６６未満であると、谷部に溜まった吸収液が山部を乗り越えずに伝熱管から離脱（ドロップアウト）してしまうため、伝熱性能が低下する。一方、比Ｒ1／ｄが２．２９を越えると、滴下した吸収液が流れ落ちやすくなって伝熱性能が低下する。従って、山部の頂部の曲率半径Ｒ1と谷部の深さｄとの比Ｒ1／ｄは０．６６乃至２．２９とする。
【００２３】
傾斜部の幅Ｌ：０．３乃至１．７（ｍｍ）
傾斜部の管軸方向と直交する方向の幅Ｌが０．３（ｍｍ）未満であると、吸収液が山部から谷部へ流下する際に、谷部において急激に収縮し管外面に濡れ拡がる前に流れ落ちてしまう。一方、傾斜部の幅Ｌが１．７（ｍｍ）を越えると、谷部での吸収液の滞留時間が長くなって液膜が厚くなりすぎ、この液膜による熱抵抗が大きくなるため、伝熱性能が低下する。従って、傾斜部の管軸方向と直交する方向の幅Ｌは０．３乃至１．７（ｍｍ）とする。
【００２４】
なお、本発明において、吸収器用伝熱管の材質は特に限定されるものではなく、例えば、銅、銅合金、チタン、鋼、ステンレス製等である。
【００２５】
【実施例】
以下、本発明の実施例について、その特許請求の範囲から外れる比較例と比較して具体的に説明する。
【００２６】
先ず、下記表１に示す形状のリン脱酸銅管（Ｃ１２０１；ＪＩＳ Ｈ３３００）を、その管外面を凸状の工具により押し込み、この状態で抽伸加工して外表面に管軸方向に平行に延びる山部及び谷部を形成して下記表２及び３に示す形状の供試管を作製した。
【００２７】
【表１】
0003788887.tif 000002
【００２８】
【表２】
0003788887.tif 000003
【００２９】
【表３】
0003788887.tif 000004
【００３０】
そして、本発明の実施例及び比較例の吸収式冷凍機の吸収器用伝熱管の伝熱性能を測定した。図３は伝熱性能の測定に使用した試験装置を示す模式図である。供試管は１列×６段とした。蒸発部２３の供試管群の上部には冷媒の入口１３が、供試管群の下部には蒸発部内を流れる冷媒の出口１４が設置されている。この冷媒の出口１４から排出された冷媒は配管２５ａを介して冷媒ポンプ２１に送り込まれ、更に冷媒はこの冷媒ポンプ２１により配管２５ｂを介して冷媒の入口１３に運ばれる。また、この供試管群の下側端部は供試管内に流す冷水の入口１１に連結され、上側端部は冷水の出口１２に連結されている。このとき、蒸発部２３を通過する冷水のパス数は４パスとした。更に、蒸発部２３の上部には、測定装置内の圧力を測定するためのデジタルマノメータ２０がバルブ１９ｂを介して設けられている。
【００３１】
一方、吸収部２４の伝熱管群の上部には吸収部内を流れるＬｉＢｒ水溶液の入口１５が、伝熱管群の下部にはＬｉＢｒ水溶液の出口１６が設置されている。更に、このＬｉＢｒ水溶液の出口１６は配管２５ｃを介してＬｉＢｒ水溶液ポンプ２２に連結されており、ＬｉＢｒ水溶液はＬｉＢｒ水溶液ポンプ２２により系外へと排出される。また、この伝熱管群の下側端部は伝熱管内に流す冷却水の入口１７に連結され、上側端部は冷却水の出口１８に連結されている。また、吸収部２４の上部には、測定装置内を真空にするためのバルブ１９ａが取り付けられており、この配管は真空ポンプ（図示せず）に連結されている。
【００３２】
蒸発性能の測定は下記のようにして行った。先ず、吸収部２４の伝熱管内に冷却水の入口１７から１．５０ｍ／ｓの流速で３２．０℃の冷却水を流し、伝熱管外にはＬｉＢｒ水溶液を入口温度４６℃、入口濃度６３重量％にて入口１５より散布した。一方、蒸発部２３の伝熱管外には、一定流量の冷媒を冷媒の入口１３より滴下し、伝熱管内には冷水の入口１１から一定温度の冷水を流し、測定装置内の圧力が６．０ｍｍＨｇになるように冷水流量を調節した。
【００３３】
なお、ＬｉＢｒ溶液には界面活性剤として２エチルヘキサノールを添加した。
【００３４】
図４及び図５は横軸に液膜流量をとり、縦軸に総括伝熱係数をとって両者の関係を示すグラフ図である。図４に示すように、実施例１乃至４においては、山部の頂部の曲率半径Ｒ1、谷部の底部の曲率半径Ｒ2、谷部の深さｄ及び傾斜部の管軸方向と直交する方向の幅Ｌの値が適切に規定されているので、総括伝熱係数が高く、特に、低液膜流量域において顕著である。
【００３５】
一方、比較例５乃至１６においては、ｄ／Ｐ、ｄ、Ｒ1／ｄ、Ｒ2／ｄ又はＬの値のいずれかが本発明範囲の上限を超えているか、又は下限未満であるので、図４及び図５に示すように、総括伝熱係数が低かった。
【００３６】
【発明の効果】
以上詳述したように、本発明によれば、山部、谷部及び傾斜部の形状を適切に規定しているので、吸収液の攪乱を促進することができる。このため、吸収液の濡れ広がりを高め、吸収伝熱性能を向上させることができ、これを使用した熱交換器を高性能化及び小型化することができる。更に、使用材料を低減し、低い吸収液循環量を採用する高効率吸収式冷凍機において高い伝熱性能を発揮できる。
【図面の簡単な説明】
【図１】本発明の実施例に係る吸収器用伝熱管の管軸直交断面を示す断面図である。
【図２】本発明の実施例に係る吸収器用伝熱管の管軸直交断面の一部を拡大して示す断面図である。
【図３】伝熱性能の測定に使用した試験装置を示す模式図である。
【図４】液膜流量と総括伝熱係数との関係（実施例１〜４、比較例５〜１０）を示すグラフ図である。
【図５】液膜流量と総括伝熱係数との関係（比較例１１〜１６）を示すグラフ図である。
【符号の説明】
１；吸収器用伝熱管
２；山部
３；谷部
４；傾斜部
【図１】
0003788887.tif 000005
【図２】
0003788887.tif 000006
【図３】
0003788887.tif 000007
【図４】
0003788887.tif 000008
【図５】
0003788887.tif 000009